(57)【特許請求の範囲】
【請求項１】
上壁にホッパ部が設けられた箱状の機枠と、前記機枠内に配設された上部に開口部を有するとともに内部にファンを有する風室と、前記開口部に装着された選別盤と、前記風室を揺動自在に支持する揺動機構とを有し、前記風室と一体に揺動される前記選別盤と前記ファンにより発生される空気流との相互作用によって良穀に混在する異物を分離除去するように構成された石抜き機部と、
前記機枠上に配設された基台と、前記基台上に立設された下方側にホッパを有するとともに上部に良穀放出室を有する殻体と、前記殻体内に同心状に配設された選別網体および揚穀螺旋筒を備え、前記選別網体および前記揚穀螺旋筒を相対回転させることにより、前記ホッパより供給された穀類を良穀と屑粒とに選別して前記良穀を前記良穀放出室へ揚穀するとともに前記屑粒を機外へ排出するように構成された縦型穀類選別機部と、を有し、
前記縦型穀類選別機部には、上端側が前記良穀放出室に連通されているとともに下端側が前記石抜き機部のホッパ部に連通されたシュートが前記殻体の側壁に沿って設けられており、
前記石抜き機部には、前記ホッパ部の落下口を開閉するシャッタ板が付設されていることを特徴とする石抜き機を備えた縦型穀類選別機。
【発明の詳細な説明】
【０００１】
【発明の属する技術分野】
本発明は、穀類を良穀と屑粒とに選別するとともに、良穀に混在する異物を分離除去することができる、石抜き機を備えた縦型穀類選別機に関するものである。
【０００２】
【従来の技術】
従来の縦型穀類選別機の一例について説明する。図５および図６に示すように、キャスタ１０１ａを有するベース１０１上に中空の基台１０２が配設されており、この基台１０２は、吐出側が基台１０２の側壁から外方へ突出するとともに吸込側が基台１０２内に挿入された状態で配設された略円筒状の排気室１０６を備えている。排気室１０６は、その内部に配設されている排気ファン（不図示）を伝動手段１０９を介してモータ１０８によって回転駆動すると、排気室１０６の吸込側に設けられた吸込口（不図示）より基台１０２内の空気を吸引して吐出口１０６ａに接続された排気ダクト１０７を介して機外へ排気できるように構成されている。
【０００３】
基台１０２上には、下方部にホッパ１０５を有するとともに上部に貯留タンク１０４を有する殻体１０３が立設されており、この殻体１０３内には二出力ギアモータ１１７によって相対回転される選別網体１１５と揚穀螺旋筒１１６とが同心状に配設されている。
【０００４】
そして、貯留タンク１０４の落下口１０４ａの直下には唐箕１１１が配設されており、唐箕１１１の吸引口１１３が吸引ダクト１１０を介して基台１０２内に連通されている。
【０００５】
この従来の縦型穀類選別機において、ホッパ１０５より供給された穀類は、相対回転する選別網体１１５と揚穀螺旋筒１１６とによって揚穀される間に、粒径の小さい屑粒や異物が選別網体の網目を通過して殻体１０３の間隙部に放出されて下方へ落下し、屑粒放出口（不図示）より機外へ放出される。
【０００６】
他方、網目を通過しない粒径の大きな良穀や異物は上部仕切板１０３ａ上より貯留タンク１０４に放出されて貯留される。貯留タンク１０４から唐箕１１１へ良穀を落下させると、良穀は流下板１１１ａによってジクザグ状に落下して混在する穂芒やわら屑、ぬか等の比重の小さい異物が分離されて放出口１１２より放出され、分離された比重の小さい異物は吸引ダクト１１０を介して基台１０２内に吸引されて排気ダクト１０７より機外へ排出される（特開平１１−３００２８２号公報参照）。
【０００７】
【発明が解決しようとする課題】
上記従来の技術では、貯留タンクに貯留された良穀中に小石、金属片、ガラス片等の比重の大きな異物が混在している場合、これらの異物を分離することができないので、唐箕の放出口より放出される良穀中に小石、金属片、ガラス片等の比重の大きな異物が混在してしまうという問題点があった。
【０００８】
本発明は、上記従来の技術の有する問題点に鑑みてなされたものであって、穀類を良穀と屑粒とに選別するとともに、良穀中に混在する異物を分離除去して高品質の良穀を得ることができる、石抜き機を備えた縦型穀類選別機を実現することを目的とするものである。
【０００９】
【課題を解決するための手段】
上記目的を達成するために、本発明の石抜き機を備えた縦型穀類選別機は、上壁にホッパ部が設けられた箱状の機枠と、前記機枠内に配設された上部に開口部を有するとともに内部にファンを有する風室と、前記開口部に装着された選別盤と、前記風室を揺動自在に支持する揺動機構とを有し、前記風室と一体に揺動される前記選別盤と前記ファンにより発生される空気流との相互作用によって良穀に混在する異物を分離除去するように構成された石抜き機部と、前記機枠上に配設された基台と、前記基台上に立設された下方側にホッパを有するとともに上部に良穀放出室を有する殻体と、前記殻体内に同心状に配設された選別網体および揚穀螺旋筒を備え、前記選別網体および前記揚穀螺旋筒を相対回転させることにより、前記ホッパより供給された穀類を良穀と屑粒とに選別して前記良穀を前記良穀放出室へ揚穀するとともに前記屑粒を機外へ排出するように構成された縦型穀類選別機部と、を有し、前記縦型穀類選別機部には、上端側が前記良穀放出室に連通されているとともに下端側が前記石抜き機部のホッパ部に連通されたシュートが前記殻体の側壁に沿って設けられており、前記石抜き機部には、前記ホッパ部の落下口を開閉するシャッタ板が付設されていることを特徴とする。
【００１０】
【発明の実施の形態】
本発明の一実施の形態を図面に基づいて説明する。
【００１１】
図１に示すように、本実施の形態による石抜き機を備えた縦型穀類選別機は、ベース１上に配設された、良穀中に混在する小石、金属片、ガラス片等の比重の大きな異物を分離除去するための石抜き機部Ｅ1 と、石抜き機部Ｅ1 上に配設された、穀類を良穀と屑粒とに選別するための縦型穀類選別機部Ｅ2 とを備えている。
【００１２】
先ず、石抜き機部Ｅ1 について説明する。図２および図３に示すように、石抜き機部Ｅ1 は、長さが短い機枠下半部２と長さが長い機枠上半部３からなる長手方向両端部に段差部３ａ、３ｂ（図１参照）を有する箱形の機枠４を備えており、機枠４の上壁４ａにホッパ部５が設けられているとともに、一方の段差部３ａには良穀放出筒６の上端側が連通され、他方の段差部３ｂには異物放出筒７の上端側が連通されている。なお、ホッパ部５には、ホッパ部５の落下口を開閉するためのシャッタ板８が付設されている。
【００１３】
機枠下半部２内には、後述する揺動機構によって揺動自在に支持された風室１０が配設されており、この風室１０は、上部にほぼ全面が開放された開口部１０ａを有するとともに側壁には空気を吸引するための吸込孔１１を有し、内部にはファン１２が配設されている。
【００１４】
なお、吸込孔１１の開口面積を変化させて風量を調節できるように、調節孔１３ａを有する風量調節板１３が、機枠４の側壁に固着された一対のガイドレール１４ａ、１４ｂを介して矢印方向および反矢印方向へ移動自在に設けられている。
【００１５】
また、機枠上半部３における風室１０の側面に対向する側壁のうちの一方の側壁には、選別盤１７を風室１０の開口部１０ａに対してほぼ水平状態で出し入れできる形状の窓１８が設けられており、この窓１８にはヒンジ１９ａを介して機外側へ開くことができる開閉扉１９が付設されている（図１参照）。
【００１６】
揺動機構は、機枠４に一端側が枢軸１５ａ、１６ａを介してそれぞれ枢着された一対の揺動アーム１５、１６と、クランク軸２０に偏心ボス２１を介して一端側が連結されたクランク連結プレート２２と、クランク連結プレート２２の他端側に枢軸２３ａを介して枢着された連結部材２３とを備えたものであって、風室１０の側壁に、一対の揺動アーム１５、１６の他端側をそれぞれ枢軸１５ｂ、１６ｂを介して枢着するとともに連結部材２３の他端側を固着することにより、風室１０を揺動自在に支持している。
【００１７】
上述した揺動機構およびファン１２の駆動手段は、図４に示すように、クランク軸２０に固定されたクランク軸プーリ３０と、ファン軸１２ａに固定されたファン軸プーリ３２と、インバータ電動機３４の出力軸３４ａに固定された駆動側プーリ３１とにかけ回されたベルト３３を備えるとともに、ベルト３３の外周側の適宜部位にはテンション機構３５のテンションローラ３５ａが当接されている。
【００１８】
選別盤１７は、多数の通気孔を有する多孔板１７ａ（図４に示す）とその周囲をとり囲む側枠からなる深さの浅い箱状のものであって、長手方向両端部に開口１７ｂ、１７ｃがそれぞれ設けられており、風室１０の開口部１０ａ上に装着した際に両開口１７ｂ、１７ｃがそれぞれ良穀放出筒６と異物放出筒７の上方に臨むように構成されている。
【００１９】
本実施の形態において、異物放出筒７の上方に臨む一方の開口１７ｃには、シャッタ２４が付設されているとともに、異物を異物放出筒７へ案内するためのガイド片２７が下縁側に設けられている。シャッタ２４は、上端側が枢軸２４ａを介して選別盤１７の側枠に回動自在に枢着されているとともに外方へ突出するレバー２５を有し、自重あるいはスプリング等により一方の開口１７ｃを閉鎖するように常時付勢されている。他方、機枠４の上壁４ａには、操作部材２６が矢印方向および反矢印方向へ直線移動自在に配設されており、操作部材２６を矢印方向へ押し下げると、その先端部に一体的に設けられた当接部２６ａがレバー２５に当接してレバー２５とともにシャッタ２４を回動して一方の開口１７ｃが開放される。
【００２０】
次に、縦型穀類選別機部Ｅ2 について説明する。図２に示すように、機枠４の上壁４ａの片側に箱状の基台５０が配設されており、基台５０の天板５０ａ上には下方部位にホッパ５２を有する殻体５１が立設されている。
【００２１】
殻体５１内において、天板５０ａ上には上面が開放された供給筒５３が配設されており、供給筒５３の側壁上方部位にはホッパ５２のシュート部が連通されている。供給筒５３内に同心状に配設された誘導筒５４は、その外周面にホッパ５２より供給された穀類を下方へ導くための誘導翼５４ａを有するとともに、上部開口部周縁に設けられたフランジ部５４ｂには上向きに突出する屑粒掻出し羽根５５が突設されており、底板５４ｃには二出力ギアモータ５６の低速回転軸５６ａが固着されている。
【００２２】
選別網体５７は上下面ともに開放された筒状のものであって、下端部に設けられたスリットをフランジ部５４ｂに突設された屑粒掻出し羽根５５に係合させることにより誘導筒５４と一体に回転するようにフランジ部５４ｂ上に載置されており、その上端部近傍の外周面には、殻体５１の内面に突設された支持部材５８に自由回転自在に支持された支持ローラ５９を当接することによって首振り運動しないように構成されている。
【００２３】
選別網体５７および誘導筒５４内には、外周面に螺旋翼６０ａを有する揚穀螺旋筒６０が同心状に配設されており、揚穀螺旋筒６０の底板６０ｂに二出力ギアモータ５６の高速回転軸５６ｂが固着されているとともに、上板６０ｃに突設された回転軸６１が殻体５１の上壁５１ａに固着された軸受６１ａを介して回転自在に軸支されている。そして、殻体５１の上部仕切板５１ｂの上方の良穀放出室６２へ突出する揚穀螺旋筒６０の上端部外周面には、選別された良穀をシュート６３へ向かって掻出すための複数の良穀掻出し羽根６４が周方向へ互いに間隔をおいて突設されている。
【００２４】
シュート６３は、縦型穀類選別機部Ｅ2 の良穀放出室６２より放出される穀類を石抜き機部Ｅ1 のホッパ部５へ落下させるためのものであって、殻体５１の側壁に沿って設けられており、その上端側が殻体５１の良穀放出室６２に連通されているとともに、その下端側が石抜き機部Ｅ1 のホッパ部５に連通されている。
【００２５】
なお、本実施の形態において、シュート６３の外側面にのぞき窓６３ａ（図１に示す）を設けることにより、シュート６３内を落下する良穀の状態を観察できるように工夫されている。
【００２６】
本実施の形態による石抜き機を備えた縦型穀類選別機の動作について説明する。
【００２７】
（１）  二出力ギアモータ５６によって選別網体５７および揚穀螺旋筒６０を相対回転させるとともに、インバータ電動機３４によりファン１２を回転させるとともに風室１０を揺動させる。
【００２８】
（２）  上記（１）ののち、ホッパ５２に穀類を供給すると、供給された穀類は、供給筒５３内に落下して誘導筒５４の誘導翼５４ａによって下方へ導かれて導入口５４ｄより誘導筒５４内ヘ導入される。
【００２９】
（３）  上記（２）により誘導筒５４内へ導入された穀類は、相対回転する選別網体５７および揚穀螺旋筒６０の相互作用によって揚穀される間に、網目の大きさより粒径の小さい屑粒および異物は選別網体５７と殻体５１との間隙部へ放出されて下方へ落下し、屑粒掻出し羽根５５によって掻き出されて屑粒放出口６５より機外へ放出される。
【００３０】
他方、網目の大きさよりも粒径の大きな良穀は、上部仕切り板５１ｂ上へ放出されて良穀掻出し羽根６４によりシュート６３へ向けて掻き出され、シュート６３内を落下して、石抜き機部Ｅ1 のホッパ部５に導かれる。
【００３１】
（４）  上記（３）により石抜き機部Ｅ1 のホッパ部５に導かれた良穀は、風室１０と一体に揺動する選別盤１７上に落下し、多孔板１７ａの前記通風孔を通過して上方へ噴出する空気流と選別盤１７の揺動運動との相互作用によって良穀に混在する比重の大きな異物が良穀から分離され、異物放出筒７へ向かって搬送されて一方の開口１７ｃの近傍に溜まり、異物が分離除去された良穀は良穀放出筒６へ向かって流下して他方の開口１７ｂより良穀放出筒６内へ落下し、高品質の良穀として機外へ放出される。
【００３２】
良穀から分離された異物が一方の開口１７ｃの近傍に所定量溜まると、操作部材２６を矢印方向へ押し下げてレバー２５とともにシャッタ２４を回動させて一方の開口１７ｃを開放し、前記異物を異物放出筒７を介して機外へ排出する。
【００３３】
【発明の効果】
本発明は上述のとおり構成されているので、次に記載するような効果を奏する。
【００３４】
穀類を良穀と屑粒とに選別するとともに、選別された良穀に混在する小石、金属片、ガラス片等の異物を分離除去できるため、高品質の良穀を得ることができる。
【図面の簡単な説明】
【図１】一実施の形態による石抜き機を備えた縦型穀類選別機の模式斜視図である。
【図２】図１に示す石抜き機を備えた縦型穀類選別機の模式断面図である。
【図３】図１に示す石抜き機を備えた縦型穀類選別機の石抜き機部のみを示し、揺動機構が設けられた側から見た説明図である。
【図４】図１に示す石抜き機を備えた縦型穀類選別機の石抜き機部のみを示し、駆動手段が設けられた側から見た説明図である。
【図５】従来の縦型穀類選別機の一例を示す模式側面図である。
【図６】図５に示す従来の縦型穀類選別機の模式断面図である。
【符号の説明】
１    ベース
２    機枠下半部
３    機枠上半部
４    機枠
５    ホッパ部
６    良穀放出筒
７    異物放出筒
８    シャッタ板
１０    風室
１１    吸込口
１２    ファン
１３    風量調節板
１４ａ、１４ｂ    ガイドレール
１５、１６    揺動アーム
１７    選別盤
１８    窓
１９    開閉扉
２０    クランク軸
２１    偏心ボス
２２    クランク連結プレート
２３    連結部材
２４    シャッタ
２５    レバー
２６    操作部材
２７    ガイド片
３０    クランク軸プーリ
３１    駆動側プーリ
３２    ファン軸プーリ
５０    基台
５１    殻体
５２    ホッパ
５３    供給筒
５４    誘導筒
５５    屑粒掻出し羽根
５６    二出力ギアモータ
５７    選別網体
５８    支持部材
５９    支持ローラ
６０    揚穀螺旋筒
６１    回転軸
６２    良穀放出室
６３    シュート
６４    良穀掻出し羽根
６５    屑粒放出口
【図１】
0003998882.tif 000002
【図２】
0003998882.tif 000003
【図３】
0003998882.tif 000004
【図４】
0003998882.tif 000005
【図５】
0003998882.tif 000006
【図６】
0003998882.tif 000007